(57)【要約】【課題】本発明の目的は、望ましいレベルの濾過、緻密度、及び／又は製造可能性を提供することができる濾過装置及び方法を提供することである。【解決手段】上部ハウジングシェルと、下部ハウジングシェルと、外周フレーム及び折り畳まれた襞を寄せられた媒体を備える襞パック要素と、を備える流体フィルタ装置が開示される。フレームは、媒体上に少なくとも部分的に成形されて、媒体をフレームの中に固定し、媒体は、互いに異なる密度の２つ以上のタイプの媒体を備える。【選択図】図１
2019084530.tif 000002
【特許請求の範囲】
【請求項１】
上部ハウジングシェルと、
下部ハウジングシェルと、
外周フレーム及び折り畳まれた襞を寄せられた媒体を備える襞パックと、
を備え、
前記フレームは、前記媒体の少なくともいくつかの端部に亘って少なくとも部分的に成形されて、前記媒体を前記フレームの中に固定し、
前記媒体は、互いに異なる濾過密度の２つのタイプの媒体を備える、流体フィルタ。
【請求項２】
前記下部ハウシングシェル上の入口及び前記上部ハウジングシェル上の出口をさらに備えることを特徴とする請求項１に記載の流体フィルタ。
【請求項３】
前記外周フレームは、前記上部ハウジングシェルと前記下部ハウジングシェルとの間に保持されるように適用されたフランジを備えることを特徴とする請求項１に記載の流体フィルタ。
【請求項４】
前記襞パックから離間して配置され、前記襞パック内の媒体の密度とは異なる媒体密度を有する補助的なフィルタ材をさらに備えることを特徴とする請求項１に記載の流体フィルタ。
【請求項５】
前記補助的なフィルタ材は、前記襞パックの前の流体流れの方向に、前記襞パックに隣接して配置されていることを特徴とする請求項４に記載の流体フィルタ。
【請求項６】
前記上部ハウジングシェル及び前記下部ハウジングシェルは、振動溶接によって一緒に接合されていることを特徴とする請求項１に記載の流体フィルタ。
【請求項７】
前記上部ハウジングシェル及び前記下部ハウジングシェルは、レーザー溶接によって一緒に接合されていることを特徴とする請求項１に記載の流体フィルタ。
【請求項８】
前記上部ハウジングシェルと、前記下部ハウジングシェルと、は一緒に接合されて筐体を形成し、前記襞パックは、前記筐体の内側に全体的に配置されていることを特徴とする請求項１に記載の流体フィルタ。
【請求項９】
筐体を形成するハウジングと、
外周フレーム及び折り畳まれた襞を寄せられた媒体を備える襞パック要素と、
を備え、
前記フレームは、前記媒体の少なくともいくつかの端部上に少なくとも部分的に成形されて、前記媒体を前記フレームの中に固定し、
前記媒体は、互いに異なる濾過密度の２つのタイプの媒体を備え、
前記２つのタイプの媒体は、互いに対して流れの方向に平行な配置にある、流体フィルタ。
【請求項１０】
前記襞パックと離間して配置され、２つのタイプの襞パック媒体の少なくとも一方に対する流れの方向に一連の構成に構成された補助的なフィルタ材を備える請求項９に記載の流体フィルタ。
【請求項１１】
前記補助的なフィルタ材は、前記襞パックの前の流体流れの方向に配置されていることを特徴とする請求項１０に記載の流体フィルタ。
【請求項１２】
前記ハウジングは、上部ハウジングシェルと、下部ハウジングシェルと、を備え、前記上部ハウジングシェル及び前記下部ハウジングシェルは、振動溶接によって一緒に接合されていることを特徴とする請求項９に記載の流体フィルタ。
【請求項１３】
前記ハウジングは、上部ハウジングシェルと、下部ハウジングシェルと、を備え、前記上部ハウジングシェル及び前記下部ハウジングシェルは、レーザー溶接によって一緒に接合されていることを特徴とする請求項９に記載の流体フィルタ。
【請求項１４】
前記ハウジングは、上部ハウジングシェルと、下部ハウジングシェルと、を備え、前記上部ハウジングシェル及び前記下部ハウジングシェルは、一緒に接合されて前記筐体を形成し、前記襞パック要素は、前記筐体の内側に全体的に配置されていることを特徴とする請求項９に記載の流体フィルタ。
【請求項１５】
ハウジングを提供するステップと、
外周フレームと、折り畳まれた襞媒体と、を備える襞パック要素を、フレーム材を前記媒体の少なくともいくつかの端部上に部分的に成形して、前記媒体を前記フレームに固定することによって提供するステップと、
前記襞パック要素が前記ハウジングの内側に収容されるように、前記ハウジングで筐体を形成するステップと、
を備え、
前記媒体は、互いに異なる濾過密度の２つのタイプの媒体を備え、
前期２つのタイプの襞パック媒体は、互いに対する流れの方向に平行に配置されている、流体フィルタ装置を作製する方法。
【請求項１６】
前記襞パックから離間して配置され、２つのタイプの襞パック媒体の少なくとも一方に対する流れの方向に一連の構成に構成された補助的なフィルタ材を提供するステップをさらに備えることを特徴とする請求項１５に記載の方法。
【請求項１７】
前記補助的なフィルタ材は、前記襞パックに隣接して、前記襞パックの前の流体流れの方向に配置されていることを特徴とする請求項１６に記載の方法。
【請求項１８】
前記ハウジングを提供するステップは、上部ハウジングシェル及び下部ハウジングシェルを一緒に、振動溶接によって接合するステップを備えることを特徴とする請求項１５に記載の方法。
【請求項１９】
前記ハウジングを提供するステップは、上部ハウジングシェル及び下部ハウジングシェルを一緒に、レーザー溶接によって接合するステップを備えることを特徴とする請求項１５に記載の方法。
【請求項２０】
前記ハウジングは、上部ハウジングシェル及び下部ハウジングシェルを備え、前記上部ハウジングシェル及び前記下部ハウジングシェルは一緒に接合されて前記筐体を形成し、前記襞パック要素は、前記筐体の内側に全体的に配置されることを特徴とする請求項１５に記載の方法。
【発明の詳細な説明】
【技術分野】
【０００１】
本発明は、一般的に濾過の分野に関する。より具体的には、本発明のいくつかの実施形態は、自動車のエンジンのようなエンジンにおけるエンジンオイル又はトランスミッションオイルのような液体を濾過するために使用されるフィルタに関する。
【背景技術】
【０００２】
多くの濾過装置が知られている。より具体的には、エンジン及び／又は自動車用途において、例えば自動車のトランスミッション流体において使用される濾過装置が知られている。いくつかの装置は、例えば流体に対して透過性を有するが粒状物質又は他の汚染物質を捕捉する、フェルトタイプの媒体のような濾過媒体を含むチャンバを形成するハウジングを提供する。
【発明の概要】
【発明が解決しようとする課題】
【０００３】
したがって、望ましいレベルの濾過、緻密度、及び／又は製造可能性を提供することができる濾過装置及び方法を有することが望ましい。
【０００４】
トランスミッションフィルタのようなフィルタに対して存在する必要性を考慮して、多くの例示的な実施形態の概要が提供される。以下の概要において、簡単化及び省略が行われる場合があるが、それは多くの例示的な実施形態のいくつかの特徴を強調し、紹介することを意図しており、本発明の技術的範囲を限定することを意図するものではない。好ましい例示的な実施形態の詳細な説明は、当業者が、後のセクションに続く本発明の概念を実施し、使用するのを可能にするのに十分である。
【課題を解決するための手段】
【０００５】
いくつかの観点では、流体用フィルタ装置は、上部ハウジングシェル、下部ハウジングシェル、及び外周フレームと折り畳まれた襞を寄せられた媒体とを備える襞パック要素を備え、フレームは媒体の端部の少なくとも幾らかの上に少なくとも部分的にモールドされて、媒体をフレームの中に固定し、媒体は、互いに異なる濾過密度の２つのタイプの媒体を備える。
【０００６】
いくつかの観点では、流体用フィルタ装置は、筐体を形成するハウジング、及び外周フレームと折り畳まれた襞をよせられた媒体とを備える襞パック要素を備え、フレームは媒体の端部の少なくとも幾らかの上に少なくとも部分的にモールドされて、媒体をフレームの中に固定し、媒体は、互いに異なる濾過密度の２つのタイプからなる媒体を備え、襞パック要素の異なる２つのタイプの媒体は、互いに対して流れの方向に平行に配置されている。
【０００７】
いくつかの観点では、流体用フィルタ装置を作製する方法は、ハウジングを提供するステップ、フレーム材料を媒体の端部の少なくとも幾らかの上に少なくとも部分的にモールドすることによって、外周フレームと折り畳まれた襞をよせられた媒体とを備える襞パック要素を提供するステップ、及び襞パック要素がハウジングの内側に封入されるように、ハウジングで筐体を形成するステップを備え、媒体は互いに異なる濾過密度の２つのタイプの媒体を備え、襞パック要素の異なる２つのタイプの媒体は、互いに対して流れの方向に平行に配置されている。
【０００８】
本発明の前述の目的及び利点は、様々な例示的な実施形態によって達成することができる例示的な実施形態によって例証されるが、実現することができる、可能性のある利点を網羅する又は限定することを意図するものではない。したがって、様々な例示的な実施形態のこれら及び他の目的及び利点は、本明細書の中の記載から明らかとなること、又はここで具体化される若しくは当業者には明白である変更を考慮して変形されることの両方によって様々な例示的な実施形態を実践することから学ぶことができる。したがって、本発明は、様々な例示的な実施形態に図示され、記載された、新規な方法、構成、組み合わせ、及び改良に存する。
【０００９】
様々な例示的な実施形態をよりよく理解するために、添付の図面が参照される。
【図面の簡単な説明】
【００１０】
【図１】好ましい第１の実施形態によるフィルタの分解図である。
【図２】図１のフィルタの上面図である。
【図３】図１のフィルタの側面図である。
【図４】図１のフィルタの底面図である。
【図５】図１のフィルタの側断面図である。
【図６】図５の一部の詳細図である。
【図７】フィルタの好ましい第２の実施形態の分解図である。
【図８】図７のフィルタの上面図である。
【図９】図７のフィルタの側面図である。
【図１０】図７のフィルタの底面図である。
【図１１】図７のフィルタの側断面図である。
【図１２】襞パック要素の上面図である。
【図１３】図７のフィルタの端部断面図である。
【図１４】図１１の一部の詳細図である。
【図１５】フィルタの好ましい第３の実施形態の分解図である。
【図１６】図１５のフィルタの上面図である。
【図１７】図１５のフィルタの側面図である。
【図１８】図１５のフィルタの側断面図である。
【図１９】襞パック要素の斜視図である。
【図２０】図１５のフィルタの斜視図である。
【図２１】図１５のフィルタの底面図である。
【図２２】図１８の一部の詳細図である。
【図２３】図１８の一部の詳細図である。
【図２４】図１８の一部の詳細な側断面図である。
【発明を実施するための形態】
【００１１】
本発明のいくつかの実施形態は、自動車のトランスミッション流体用フィルタのようなフィルタに関する。いくつかの実施形態が添付の図面の図を参照しつつ説明され、図における同様の参照符号は、一般的に全体を通じて同様の部品を示す。
【００１２】
図１〜６は第１の好ましい実施形態を図示する。フィルタ１０が提供されており、このフィルタ１０は下部ハウジングシェル１２と上部ハウジングシェル１４とを含む。下部ハウジング１２及び上部ハウジング１４は、それぞれが例えば成形されたプラスティック材料からなってもよく、又は一方若しくは両方を、例えば型打ちした金属で作ることができる。
【００１３】
下部ハウジングシェル１２と上部ハウジングシェル１４との間には襞パック要素２０が配置されている。襞パック要素２０は通常、外側に突出するフランジ２４を有する外周フレーム２２を備え、このフランジ２４もまた成形されたプラスティックで作ることができる。また、内部強化部材又は駆動リブ２６も設けることができる。フレーム２２を含む襞パック要素２０、フランジ２４、及び補強リブ２６を備えるアセンブリ全体は、濾過媒体３０の上へオーバーモールドされており、濾過媒体３０は、第１の襞を寄せられた媒体又は媒体セクション３２、及び第２の襞を寄せられた媒体又は媒体セクション３４のような、１つ以上の媒体タイプを備えることができる。したがって、襞パック２０は、１つのタイプのみの媒体、２つの同様な媒体、２つの異なる媒体、又はそれ以上のタイプを含むことができる。この製造プロセスでは、媒体３０の少なくとも１つ、又はいくつかが襞を寄せられるか、若しくはジグザグ様に折り畳まれて、加熱されたプラスティックが型の中に射出される間、型の中の所定の位置に保持される。冷却の後に、一体的な襞パック要素２０が結果的に生じる。媒体３０は、冷却された、剛性を有する周囲のプラスティック構造体との相互作用によって所定の位置に保持され、プラスティック構造体は、例えば媒体３０との一体ユニットとしてのフレーム２２、フランジ２４、及び／又はリブ２６を形成する。
【００１４】
特に、詳細な図６において、製造中には、流体が通過するための媒体３０の露出した領域を残しつつ、媒体３０がその端部及び側部において、成形されたフレーム２２内に封止されていることを見て取ることができる。
【００１５】
図示された襞を寄せられたパックアセンブリ、又は襞パック要素２０は、複数の別々の構成要素をそれぞれ個々に成形することができ、次いで最終フィルタ１０を形成するように組み立てることができる、簡便な製造を提供する。下部ハウジング１２及び上部ハウジング１４は互いに別々の構成要素である。襞パック２０もまた、別の構成要素である。図１〜６の実施形態において、上部ハウジング１４は、下部ハウジング１２の外周フランジ４２に当接することができる外周フランジ４０を有することができる。フランジ４０及び４２は、例えば既存の溶接機によって共に振動溶接するか、又は摩擦溶接することができる。また、レーザー溶接又は接着剤による接合も、代替策として採用することができる。フランジ４０のフランジ４２への振動溶接又は他の取り付けの完了時に、上部ハウジング１４は下部ハウシング１２に取り付けられて筐体を形成することとなる。襞パック２０はその形状の故に、そのフレーム２２及び／又は外側フランジ２４が物理的に筐体の中に保持されるように、閉じ込められる。支持アーム又はボス２９を、図示されるように、上部ハウジング１４上に設けることができる。
【００１６】
また、図１〜６の実施形態は、任意の追加的なフィルタ媒体５０を示す。この例では、追加的なフィルタ媒体５０は平坦なシートタイプの媒体であり、この媒体はその全体に亘って均一に離間した孔を有することができる。このシートタイプの媒体５０は、いずれの媒体３０より粗い媒体とすることができ、それによって幾らかの程度の予備濾過を提供する。
【００１７】
図１〜６の図示された実施形態は、媒体３２及び３４からなる２つの区画を示しているが、より多くの区画もまた設けることができる。図示された実施形態からは、媒体３０は２列に、又は区画３２及び３４に配置されているが、媒体３０は、１つの連続した区画、又は３列、４列、若しくはそれ以上の列に配置することができる。これら媒体３２及び３４の区画は、同じ密度とすることができ、又は代替的に一方の媒体を他方より密にすることができる。したがって、多くの程度の濾過密度及び効率を、必要に応じて１つの襞パック２０内に提供することができることが理解される。さらに、予備濾過を追加的な媒体５０によって達成することができ、この追加的な媒体５０はこの例では平坦なシートである。
【００１８】
流体入口７０が下部ハウジング１２に設けられ、流体出口７２が上部ハウジング１４に設けられている。
【００１９】
図７〜１４は第２の好ましい実施形態を図示している。材料の変化、媒体タイプの数、及び第１の実施形態に対して記載された他の変形は、この実施形態にも適用され、この実施形態に関する説明において繰り返す必要はない。フィルタが設けられ、このフィルタは下部ハウジング１１２及び上部ハウジング１１４を含んでいる。下部ハウジング１１２及び上部ハウジング１１４はそれぞれ、例えば成形されたプラスティック材料又は金属で作ることができる。
【００２０】
下部ハウジング１１２と上部ハウジング１１４との間には襞パック要素１２０が配置されている。ハウジングシェル１１２及び１１４は、シェル１１２と１１４との間に挟まれた、又は差し挟まれた襞パック要素１２０とともにサンドイッチ構造を形成する。襞パック要素１２０は通常、外周フレーム１２２を備え、この外周フレームもまた成形されたプラスティックで作ることができる。また、内部強化部材又は駆動リブ１２６もまた設けることができる。フレーム１２２及び補強リブ１２６を含むアセンブリ全体は、濾過媒体１３０の上へオーバーモールドされており、濾過媒体１３０は、第１の襞を寄せられた媒体又は媒体セクション１３２、及び第２の襞を寄せられた媒体又は媒体セクション１３４のような、１つ以上の媒体タイプを備えることができる。この製造プロセスでは、媒体の少なくとも１つ、又はいくつか、又は媒体の全てが襞を寄せられるか、若しくはジグザグ様に折り畳まれて、プラスティックが型の中に射出される間、型の中の所定の位置に保持される。冷却の後、一体的な襞パック要素１２０が結果的に生じる。媒体１３０は、周囲のプラスティック構造体との相互作用によって所定の位置に保持される。特に、詳細な図６において、製造中には、媒体１３０はその端部及び側部において、成形されたフレーム１２２内に封止されていることを見て取ることができる。また、襞パック要素１２０は、流体が流過するための媒体１３０の露出した領域を有する。
【００２１】
図示された襞パックアセンブリ１２０は、３つの別々の構成要素をそれぞれ個々に成形することができ、次いで最終フィルタ１１０を形成するように組み立てることができる、簡便な製造を提供する。この実施形態は、第１及び第３の実施形態とは、上部ハウジング１１４及び下部ハウジング１１２によって形成されたチャンバの内側に全体的に封止される代わりに、この実施形態ではフレーム１２２及び／又はフランジ１２４が全体的なハウジングを形成する点で異なっている。したがって、下部ハウジング１１２及び上部ハウジング１１４は互いに接触することはなく、代わりにフレーム１２２及び／又はフランジ１２４が下部ハウジング１１２と上部ハウジング１１４の外周間に差し込まれ、それによって筐体の側部を形成している。
【００２２】
下部ハウジング１１２及び上部ハウジング１１４は互いに別々の構成要素である。襞パック１２０もまた、別の構成要素である。上部ハウジング１１４は、フレーム１２２の一方の側部に当接することができ、フレーム１２２の他方の側部が下部ハウジング１１２の外周フランジ１４２に当接することができるフランジ１４０を有する。フランジ１４０及び１４２は、既存の溶接機によってフレーム１２２に振動溶接するか、又は摩擦溶接することができる。また、レーザー溶接又は接着剤による接合も、代替策として採用することができる。フランジ１４０とフランジ１４２とのフレーム１２２への振動溶接又は他の溶接の完了時に、上部ハウジング１１４及び下部ハウシング１１２は、フレーム１２２とともに筐体を形成する。したがって、襞パック１２０のフレーム１２２はハウジングの一部である。
【００２３】
また、図７〜１４の実施形態は、任意の追加的なフィルタ媒体１５０を示す（図７において）。この例では、追加的なフィルタ媒体１５０は平坦なシートタイプの媒体であり、この媒体はその全体に亘って均一に離間した孔を有することができる。このシートタイプの媒体１５０は、いずれの媒体１３０より粗い媒体とすることができ、それによって幾らかの程度の予備濾過を提供する。
【００２４】
図７〜１４の図示された実施形態は、媒体１３２及び１３４からなる２つの区画を示している。図示された実施形態からは、媒体１３０は２つの列又は区画にあるが、媒体１３０は、４列、若しくはそれ以上の列であってもよい。これら媒体１３２及び１３４の区画は、同じ密度とすることができ、又は代替的に一方の媒体を他方より密にすることができる。したがって、多くの程度の濾過密度及び効率を、必要に応じて１つの襞パック１２０内に提供することができることが理解される。さらに、予備濾過を平坦な媒体１５０によって達成することができる。
【００２５】
この実施形態における差異が、上部ハウジング１１４が襞パック１２０のフレーム１２２に直接接合されていることであると理解される。さらに、下部ハウジング１１２は、襞パック１２０のフレーム１２２に直接接合されている。このように、襞パック１２０のフレーム１２２は、実際にフィルタ全体の外側壁を形成するとともに、フィルタ全体を封入することに参加している。このことは、いくつかの利点を提供することができる。フレーム１２２の外周を構造体の側部ハウジング構成要素として使用することは、フィルタ１１０全体をより小型にすることを可能にし、平面図若しくは上面図に図示した際に、襞パック１２０の外周を取り巻く上部ハウジング及び下部ハウジングを有する実施形態と比較して、フィルタが同じサイズの襞パック１２０のための少ない面積を占める。これは、上部及び下部ハウジングの合わせられるフランジのために必要とされる領域が、襞パック１２０の外周を取り巻くためには、もはや必要とされないからである。また、流体が、襞パック１２０を通過せずにハウジングを通じて移動することは不可能である、すなわち、流体は、襞パックフランジ１２４とハウジングの内側との間の襞パック１２０の端の周りで（ハウジングの内側であるにもかかわらず）逃げることはできない。
【００２６】
図１２は、補強材１２６を有し、それによって媒体１３０を媒体の複数の列に分割する襞パック１２０を図示している。しかし、複数の列のうちのいくつかの列又は部分は、１つのタイプの媒体を有することができ、一方で他の列又は列の部分は他のタイプの媒体を有することができる。例えば、この実施形態では、１つの例は、媒体の１つのタイプからなる領域１３２が媒体１３４の領域とは異なる横方向の間隔を占めている。また、襞パック１２０のフレーム１２２が、媒体１３０を支持するためにこれもまたオーバーモールドされた、フィルタの周囲構造体の外側構造部分を形成しているので、襞パック１２０のフレーム１２２を支持アーム又はボス１２９と一体化することができる。特に図７及び１３にみられるように、外付け装置１６０を襞パック１２０のフレーム１２２の周りに取り付けることができ、これら外付け装置の奥行き１６０は、磁石又は他の望ましい外部構造のための支持部材を含むことができる。このことは、上部ハウジング１１４及び下部ハウジング１１２の壁厚みを比較的薄くして、構造的な剛性を提供しつつ、襞パック１２０を有するフィルタに望ましい小型化を提供するという利点をもたらす。
【００２７】
流体の入口１７０は下部ハウジング１１２に設けられ、流体の出口１７２は上部ハウジング１１４に設けられる。
【００２８】
図１６〜２４は、第３の好ましい実施形態を図示している。材料の変化、媒体タイプの数、及び第１の実施形態に対して記載された他の変形は、この実施形態にも適用され、この実施形態に関する説明において繰り返す必要はない。フィルタが設けられ、このフィルタは下部ハウジングシェル２１２及び上部ハウジングシェル２１４を含んでいる。上部及び下部ハウジングシェルはそれぞれ、例えば成形されたプラスティック材料又は金属で作ることができる。
【００２９】
下部ハウジング２１２と上部ハウジング２１４との間には襞パック要素２２０が配置されている。襞パック要素２２０は通常、外に向かって突出するフランジ２２４を有する外周フレーム２２２を備え、この外周フレームもまた成形されたプラスティックで作ることができる。また、内部強化部材又は駆動リブ２２６を設けることができる。フレーム２２２、フランジ２２４、及び補強リブ２２６を含むアセンブリ全体は、濾過媒体２３０の上へオーバーモールドされており、濾過媒体２３０は、第１の襞を寄せられた媒体２３２及び第２の襞を寄せられた媒体２３４のような、１つ以上の媒体タイプを備えることができる。この製造プロセスでは、媒体２３０の少なくともいくつか、又は媒体２３０の全てが襞を寄せられるか、若しくはジグザグ様に折り畳まれて、プラスティックが型の中に射出される間、型の中の所定の位置に保持される。冷却の後、一体的な襞パック要素２２０が結果的に生じる。媒体２３０は、周囲のプラスティック構造体との相互作用によって所定の位置に保持される。
【００３０】
特に、図８の詳細な図において、製造中には、媒体２３０はその端部及び側部において、成形されたフレーム２２２内に封止されていることを見て取ることができる。媒体２３０の露出した領域が、流体が流過するために設けられている。
【００３１】
図示された襞パックアセンブリ２２０は、３つの別々の構成要素をそれぞれ個々に成形することができ、次いで最終フィルタ２１０を形成するように組み立てることができる、簡便な製造を提供する。下部ハウジング２１２及び上部ハウジング２１４は互いに別々の構成要素である。襞パック２２０もまた、別の構成要素である。上部ハウジング２１４は、下部ハウジング２１２の外周フランジ２４２に当接することができる外周フランジ２４０を有することができる。フランジ２４０及び２４２は、既存の溶接機によって共に振動溶接するか、又は摩擦溶接することができる。また、レーザー溶接又は接着剤による接合も、代替策の例として採用することができる。フランジ２４０のフランジ２４２への振動溶接又は他の溶接の完了時に、上部ハウジング２１４は下部ハウシング２１２に取り付けられて、筐体を形成する。襞パック２２０はその形状の故に、その外側フランジ２２４が物理的に筐体の中に保持されるように、閉じ込められる。支持アーム又はボス２２９を設けることができる。
【００３２】
図１６〜２４の実施形態もまた、（この実施形態には図示されていないが、上述の媒体５０及び１５０と同様な）任意の追加的なフィルタ媒体を採用することができる。また、この実施形態はバイパス領域２９２からのバイパス出口２９０を示しており、バイパス領域２９２は、下部ハウジング２１２の領域２４５のハウジング内部開口部２４３を介した流体を収容する。この実施形態では、領域２４５はその位置でのフランジ２２４との合わせ領域として作用し、それによって開口部２４３を通じたバイパス流体は襞パック２２０内を周回し（ｐａｓｓ ａｒｏｕｎｄ）、襞パック２２０の外へ流れ、襞パック２２０によって濾過されることはない。
【００３３】
図示された実施形態からは、媒体２３０は２列又は２つの区画に配置されているが、媒体３０は、３つの又は４つの列、若しくは区画に配置することができる。図示された実施形態は、媒体２３２及び２３４の２つの区画を示している。これら媒体２３２及び２３４の区画は、同じ密度とすることができ、又は一方の媒体を他方より密にすることができる。したがって、多くの程度の濾過密度及び効率を、必要に応じて１つの襞パック２２０内に提供することができることが理解される。
【００３４】
流体入口２７０は下部ハウジング２１２上にあり、流体出口２７２は上部ハウジング２１４上にある。
【００３５】
全ての実施形態において、例えばハウジングシェルを互いに接合する、又はハウジングシェルを襞パックのフレームに接合するように、プラスティックの構成要素を互いに対して接合することが記載されており、振動溶接、レーザー溶接又は、さらに付着若しくは糊付けのような、プラスティックの接合のすべての方法をすべての場所で使用することができることが理解される。さらに、１つ以上の構成要素が金属製であるか、または接合位置に金属を有している場合には、圧接のような他の接合方法を使用することができる。さらに、異なる媒体のタイプは、異なる密度を有することとして言及されている。これは、捕捉する粒子サイズ、効率、又は有孔度若しくは媒体が通過する孔のような材料のタイプのような多くの異なる特徴のすべてを表現することもできる。本明細書でのハウジング１２、１４、１１２、１１４、２１２、及び２１４への言及は、ハウジングシェル若しくはハウジング構成要素への言及と考えることもできる。また、構成要素が溶接される又は接合されると記載されている場合、それらは例示であって、ネジ、クリップ、互いに噛み合う歯、リッジ、スナップ式取り付け等の別の取り付け機構を使用することができることに注意すべきである。
【００３６】
様々な例示の実施形態が、その所定の例示の特徴を特に参照しつつ詳細に記載されてきたが、本発明は他の実施形態でも可能であり、その詳細は様々な明白な点で変更することが可能であることを理解されるべきである。当業者には容易に理解されるように、変形及び変更を、本発明の精神と技術的範囲内に維持しつつ行うことができる。したがって、上述の開示、説明、及び図面は、説明の目的のためだけのものであり、本発明を限定するものではなく、本発明は特許請求の範囲の記載によってのみ規定される。
【符号の説明】
【００３７】
１０ 流体フィルタ
１２、１１２、２１２ 下部ハウジングシェル
１４、１１４、２１４ 上部ハウジングシェル
２０、１２０、２２０ 襞パック要素
２２、１２２、２２２ 外周フレーム
２４、４０、４２、１２４、２２４ フランジ
２６、１２６、２２６ リブ
３０、１３０、２３０ 濾過媒体
５０、１５０ 補助的なフィルタ材
７０ 入口
７２ 出口
【図１】
2019084530.tif 000003
【図２】
2019084530.tif 000004
【図３】
2019084530.tif 000005
【図４】
2019084530.tif 000006
【図５】
2019084530.tif 000007
【図６】
2019084530.tif 000008
【図７】
2019084530.tif 000009
【図８】
2019084530.tif 000010
【図９】
2019084530.tif 000011
【図１０】
2019084530.tif 000012
【図１１】
2019084530.tif 000013
【図１２】
2019084530.tif 000014
【図１３】
2019084530.tif 000015
【図１４】
2019084530.tif 000016
【図１５】
2019084530.tif 000017
【図１６】
2019084530.tif 000018
【図１７】
2019084530.tif 000019
【図１８】
2019084530.tif 000020
【図１９】
2019084530.tif 000021
【図２０】
2019084530.tif 000022
【図２１】
2019084530.tif 000023
【図２２】
2019084530.tif 000024
【図２３】
2019084530.tif 000025
【図２４】
2019084530.tif 000026
【手続補正書】
【提出日】平成31年3月1日(2019.3.1)
【手続補正１】
【補正対象書類名】特許請求の範囲
【補正対象項目名】全文
【補正方法】変更
【補正の内容】
【特許請求の範囲】
【請求項１】
流体出口及び第１の外周フランジを備える上部ハウジングシェルであって、上部フィルタ領域及び上部バイパス領域を画定する上部ハウジングシェルと、
流体入口及び第２の外周フランジを備える下部ハウジングシェルであって、下部フィルタ領域及び下部バイパス領域を画定する下部ハウジングシェルと、
外周フレーム及びフィルタ媒体を備える襞パックであって、前記外周フレームが少なくとも第１の側と第２の側とを備える襞パックと、
を備え、
前記下部ハウジングシェルは、前記下部フィルタ領域及び前記下部バイパス領域を分離する内壁をさらに備え、
前記外周フレームは、前記フィルタ媒体の少なくともいくつかの端部に亘って少なくとも部分的に成形されて、前記フィルタ媒体を前記外周フレームの中に固定し、
前記第１の外周フランジは、前記第１の外周フランジと前記第２の外周フランジとの間に閉じ込められた前記外周フレームの前記第１の側によって前記第２の外周フランジに接合され、
前記第１の外周フランジは、前記前記第１の外周フランジと前記内壁との間に閉じ込められた前記外周フレームの前記第２の側によって前記内壁に接合される、流体フィルタ。
【請求項２】
前記外周フレームの前記第１の側は、第１の形状を有し、
前記外周フレームの前記第２の側は、前記第１の形状と異なっている第２の形状を有することを特徴とする請求項１に記載の流体フィルタ。
【請求項３】
前記上部ハウジングシェルは、前記上部バイパス領域を通じて延在するバイパス出口をさらに備え、
前記下部ハウジングシェルは、前記下部フィルタ領域を、前記内壁を通じて前記下部バイパス領域と流体接続する少なくとも１つのハウジング内部開口部を備え、
それによって、動作中に、前記流体フィルタを通じた流体の少なくとも一部は、前記少なくとも１つのハウジング内部開口部を通過して、前記下部バイパス領域内に流れ、前記襞パックによって濾過されることなく、前記バイパス出口を通過することを特徴とする請求項１に記載の流体フィルタ。
【請求項４】
前記少なくとも１つのハウジング内部開口部は、前記外周フレームの前記第２の側の下に配置されることを特徴とする請求項３に記載の流体フィルタ。
【請求項５】
前記フィルタ媒体は、第１の襞を寄せられた媒体と、第２の襞を寄せられた媒体とを備えることを特徴とする請求項１に記載の流体フィルタ。
【請求項６】
前記第１の襞を寄せられた媒体は、第１の濾過密度を有し、
前記第２の襞を寄せられた媒体は、前記第１の濾過密度と異なっている第２の濾過密度を有することを特徴とする請求項５に記載の流体フィルタ。
【請求項７】
前記フィルタ媒体は、少なくとも第１の列の第１の襞を寄せられた媒体及び第２の列の第２の襞を寄せられた媒体を備え、
前記第１の襞を寄せられた媒体は、第１の濾過密度を有し、
前記第２の襞を寄せられた媒体は、第２の濾過密度を有し、前記第２の濾過密度は、前記第１の濾過密度と同じであるか又は前記第１の濾過密度と異なっていることを特徴とする請求項１に記載の流体フィルタ。
【請求項８】
前記襞パックは、前記第１の列と前記第２の列との間にリブをさらに備えることを特徴とする請求項７に記載の流体フィルタ。
【請求項９】
前記第１の外周フランジは、溶接、接着剤、又は少なくとも１つの機械的固定具によって、前記第２の外周フランジに接合されることを特徴とする請求項７に記載の流体フィルタ。
【請求項１０】
前記第１の外周フランジは、溶接によって、前記第２の外周フランジに接合されることを特徴とする請求項９に記載の流体フィルタ。
【請求項１１】
フィルタ筐体及びバイパス筐体を備えるハウジングであって、流体出口及び第１の外周フランジを備える上部ハウジングシェルと、流体入口及び第２の外周フランジを備える下部ハウジングシェルと、を備えており、前記下部ハウジングシェルが内壁をさらに備える、ハウジングと、
外周フレーム及びフィルタ媒体を備える襞パックであって、前記外周フレームが少なくとも第１の側及び第２の側を備える、襞パックと、
を備え、
前記外周フレームは、前記フィルタ媒体の少なくともいくつかの端部に亘って少なくとも部分的に成形されて、前記フィルタ媒体を前記外周フレームの中に固定し、
前記第１の外周フランジは、前記第１の外周フランジと前記第２の外周フランジとの間に閉じ込められた前記外周フレームの前記第１の側によって、前記フィルタ筐体を画定するように前記第２の外周フランジに接合され、
前記第１の外周フランジは、前記前記第１の外周フランジと前記内壁との間に閉じ込められた前記外周フレームの前記第２の側によって、前記バイパス筐体を画定するように前記内壁に接合される、流体フィルタ。
【請求項１２】
前記上部ハウジングシェルは、バイパス出口をさらに備え、
前記下部ハウジングシェルは、前記内壁を通じた少なくとも１つのハウジング内部開口部を備え、
それによって、動作中に、前記流体フィルタを通じた流体の少なくとも一部は、前記フィルタ筐体から前記バイパス筐体へ、前記襞パックによって濾過されることなく、前記バイパス出口を通過することを特徴とする請求項１１に記載の流体フィルタ。
【請求項１３】
前記少なくとも１つのハウジング内部開口部は、前記外周フレームの前記第２の側の下に配置されることを特徴とする請求項１１に記載の流体フィルタ。
【請求項１４】
前記フィルタ媒体は、第１の襞を寄せられた媒体と、第２の襞を寄せられた媒体とを備えることを特徴とする請求項１１に記載の流体フィルタ。
【請求項１５】
前記第１の襞を寄せられた媒体は、第１の濾過密度を有し、
前記第２の襞を寄せられた媒体は、前記第１の濾過密度と異なっている第２の濾過密度を有することを特徴とする請求項１４に記載の流体フィルタ。
【請求項１６】
前記フィルタ媒体は、少なくとも第１の列の第１の襞を寄せられた媒体及び第２の列の第２の襞を寄せられた媒体を備え、
前記第１の襞を寄せられた媒体は、第１の濾過密度を有し、
前記第２の襞を寄せられた媒体は、第２の濾過密度を有し、前記第２の濾過密度は、前記第１の濾過密度と同じであるか又は前記第１の濾過密度と異なっていることを特徴とする請求項１１に記載の流体フィルタ。
【請求項１７】
流体出口及び第１の外周フランジを備える上部ハウジングシェルであって、上部フィルタ領域及び上部バイパス領域を画定する上部ハウジングシェルを提供するステップと、
流体入口及び第２の外周フランジを備える下部ハウジングシェルであって、下部フィルタ領域及び下部バイパス領域を画定する下部ハウジングシェルを提供するステップと、
外周フレーム及びフィルタ媒体を備える襞パックであって、前記外周フレームが少なくとも第１の側と第２の側とを備える襞パックを提供するステップと、
前記上部ハウジングシェル、前記下部ハウジングシェル、及び前記襞パックによって、流体フィルタを形成するステップと、
を備え、
前記下部ハウジングシェルは、前記下部フィルタ領域及び前記下部バイパス領域を分離する内壁をさらに備え、
前記外周フレームは、前記フィルタ媒体の少なくともいくつかの端部に亘って少なくとも部分的に成形されて、前記フィルタ媒体を前記外周フレームの中に固定し、
前記流体フィルタを形成するステップは、フィルタ筐体及びバイパス筐体を備えるハウジングを形成するために前記上部ハウジングシェル及び前記下部ハウジングシェルを接合するステップを備え、
前記上部ハウジングシェル及び前記下部ハウジングシェルを接合するステップは、
前記第１の外周フランジと前記第２の外周フランジとの間に閉じ込められた前記外周フレームの前記第１の側によって前記第１の外周フランジ及び前記第２の外周フランジを接合するステップと、
前記前記第１の外周フランジと前記内壁との間に閉じ込められた前記外周フレームの前記第２の側によって、前記第１の外周フランジ及び前記内壁を接合し、それによって、前記襞パックが前記フィルタ筐体内に配置するステップと、
前記バイパス筐体を形成するために、前記第１の外周フランジ及び前記第２の外周フランジを接合するステップと、
を備える、流体フィルタ装置を作製する方法。
【請求項１８】
前記上部ハウジングシェルは、前記上部バイパス領域を通じて延在するバイパス出口をさらに備え、
前記下部ハウジングシェルは、前記下部フィルタ領域を、前記内壁を通じて前記下部バイパス領域と流体接続する少なくとも１つのハウジング内部開口部を備え、
それによって、動作中に、前記流体フィルタを通じた流体の少なくとも一部は、前記少なくとも１つのハウジング内部開口部を通過して、前記下部バイパス領域内に流れ、前記襞パックによって濾過されることなく、前記バイパス出口を通過することを特徴とする請求項１７に記載の流体フィルタ装置を作製する方法。
【請求項１９】
前記少なくとも１つのハウジング内部開口部は、前記外周フレームの前記第２の側の下に配置されることを特徴とする請求項１８に記載の流体フィルタ装置を作製する方法。
【請求項２０】
前記フィルタ媒体は、第１の襞を寄せられた媒体と、第２の襞を寄せられた媒体とを備えることを特徴とする請求項１７に記載の流体フィルタ装置を作製する方法。
【請求項２１】
前記第１の襞を寄せられた媒体は、第１の濾過密度を有し、
前記第２の襞を寄せられた媒体は、前記第１の濾過密度と異なっている第２の濾過密度を有することを特徴とする請求項２０に記載の流体フィルタ装置を作製する方法。
【請求項２２】
前記フィルタ媒体は、少なくとも第１の列の第１の襞を寄せられた媒体及び第２の列の第２の襞を寄せられた媒体を備え、
前記第１の襞を寄せられた媒体は、第１の濾過密度を有し、
前記第２の襞を寄せられた媒体は、第２の濾過密度を有し、前記第２の濾過密度は、前記第１の濾過密度と同じであるか又は前記第１の濾過密度と異なっていることを特徴とする請求項１７に記載の流体フィルタ装置を作製する方法。
【外国語明細書】
2019084530000001.pdf